(57)【特許請求の範囲】
【請求項１】
パネルと、
前記パネルに形成されたスコア線と、
一方向に沿って形成され、一端部および他端部を有し、当該一端部で、前記パネルのうちの前記スコア線の内側に位置する領域を押圧するタブと、
前記タブの前記一端部と前記他端部との間に位置する部位を前記パネルに固定するリベットと、
前記リベットよりも、前記タブの前記一端部側に位置し、当該リベットと当該一端部とを接続するとともに、前記パネルに対向する側にパネル対向部を備えた接続部と、
前記接続部の前記パネル対向部に設けられ、前記タブが延びる方向である前記一方向と交差する方向に進行するように形成された溝と、
を備える缶蓋。
【請求項２】
前記接続部には、前記パネル側に向かって突出した突出部が設けられ、
前記溝は、前記突出部に形成されていることを特徴とする請求項１に記載の缶蓋。
【請求項３】
前記溝の長手方向における中央部の幅よりも、当該溝の長手方向における端部の幅の方が大きくなっていることを特徴とする請求項２に記載の缶蓋。
【請求項４】
前記溝が形成された前記突出部は、前記タブを構成する基材であってスリットが予め形成された当該基材のうちの当該スリットが形成された部分に対して金型を押し当てることで形成されたことを特徴とする請求項２又は３に記載の缶蓋。
【請求項５】
前記パネルのうちの、前記突出部に対向する部分には、当該突出部が入り込む凹部が形成されていることを特徴とする請求項２乃至４の何れかに記載の缶蓋。
【請求項６】
前記接続部のうちの前記リベットに接続される部分が、前記パネル側に向かって突出していることを特徴とする請求項２乃至４の何れかに記載の缶蓋。
【請求項７】
第１の面、および、当該第１の面とは反対側の第２の面とを備えたパネルと、
前記パネルに形成されたスコア線と、
前記パネルの前記第１の面側に配置され、一方向に沿って形成され、一端部および他端部を有し、当該一端部で、当該パネルのうちの前記スコア線の内側に位置する領域を押圧するタブと、
前記タブの前記一端部と前記他端部との間に位置する部位を前記パネルに固定するリベットと、
前記リベットよりも、前記タブの前記一端部側に位置し、当該リベットと当該一端部とを接続し、前記パネルに対向する側にパネル対向部を備え、前記スコア線にて当該パネルの破断が生じて当該タブの当該一端部が前記第２の面側に向かって移動するのに伴い曲がる接続部と、
前記接続部の前記パネル対向部に設けられ、前記一方向における位置が互いに異なるように配置され、当該接続部の前記曲がりに伴い互いに接触する接触部と、
を備える缶蓋。
【請求項８】
前記接触部は、前記接続部の前記パネル対向部から突出した突出部によって構成されていることを特徴とする請求項７に記載の缶蓋。
【請求項９】
前記突出部は、当該突出部の頂部の部分が除去された形状を有していることを特徴とする請求項８に記載の缶蓋。
【請求項１０】
前記パネルのうちの前記スコア線の内側に位置する前記領域内には、
前記スコア線に接続され、且つ、当該スコア線との接続部から前記領域内に向かうように形成された第２のスコア線が形成されていることを特徴とする請求項１乃至９の何れかに記載の缶蓋。
【請求項１１】
飲料が収容された缶胴と、当該缶胴に取り付けられた缶蓋と、を備える飲料缶であって、
前記缶蓋が、請求項１乃至１０の何れかに記載の缶蓋である飲料缶。
【発明の詳細な説明】
【技術分野】
【０００１】
本発明は、缶蓋および飲料缶に関する。
【背景技術】
【０００２】
リベット穴の中心位置から指掛け穴の後端縁との間のタブパネル面に、タブ後方部が所定角度までは容易に折れ曲がり、所定角度以上は折曲しないように制御する易開口用スリットが形成された缶蓋が提案されている（例えば、特許文献１参照）。
【先行技術文献】
【特許文献】
【０００３】
【特許文献１】特開２００２−２１１５６１号公報
【発明の概要】
【発明が解決しようとする課題】
【０００４】
ここで、缶蓋に取り付けられたタブが操作されて缶蓋に開口が形成される際、タブの剛性が大きいと、タブから缶蓋へ荷重が伝わりやすく、開口が形成されやすくなる。その一方で、タブの剛性が大きいと、タブをパネルから引き起こす際に、タブとパネルとの間に操作者の指が入りにくくなり、タブの操作性が低下する。
本発明の目的は、タブの剛性を確保しつつ、操作者がタブを操作する際の操作性を向上させることにある。
【課題を解決するための手段】
【０００５】
本発明が適用される缶蓋は、パネルと、前記パネルに形成されたスコア線と、一方向に沿って形成され、一端部および他端部を有し、当該一端部で、前記パネルのうちの前記スコア線の内側に位置する領域を押圧するタブと、前記タブの前記一端部と前記他端部との間に位置する部位を前記パネルに固定するリベットと、前記リベットよりも、前記タブの前記一端部側に位置し、当該リベットと当該一端部とを接続するとともに、前記パネルに対向する側にパネル対向部を備えた接続部と、前記接続部の前記パネル対向部に設けられ、前記タブが延びる方向である前記一方向と交差する方向に進行するように形成された溝と、を備える缶蓋である。
ここで、前記接続部には、前記パネル側に向かって突出した突出部が設けられ、前記溝は、前記突出部に形成されていることを特徴とすることができる。この場合、接続部の肉厚が小さくても、接続部に溝を形成できるようになる。
また、前記溝の長手方向における中央部の幅よりも、当該溝の長手方向における端部の幅の方が大きくなっていることを特徴とすることができる。この場合、突出部のうちの溝を挟んで相対する部分が互いに突き当たる際の突き当たり位置がばらつくことを抑制できる。
また、前記溝が形成された前記突出部は、前記タブを構成する基材であってスリットが予め形成された当該基材のうちの当該スリットが形成された部分に対して金型を押し当てることで形成されたことを特徴とすることができる。この場合、突出部を形成した後にこの突出部に溝を形成する場合に比べ、溝が形成された突出部を形成する際の工程の簡素化を図れる。
また、前記パネルのうちの、前記突出部に対向する部分には、当該突出部が入り込む凹部が形成されていることを特徴とすることができる。この場合、パネルに対して接続部を接近させることができる。
また、前記接続部のうちの前記リベットに接続される部分が、前記パネル側に向かって突出していることを特徴とすることができる。この場合、接続部のうちのリベットに接続される部分を、パネルに接近させることができる。
他の観点から捉えると、本発明が適用される缶蓋は、第１の面、および、当該第１の面とは反対側の第２の面とを備えたパネルと、前記パネルに形成されたスコア線と、前記パネルの前記第１の面側に配置され、一方向に沿って形成され、一端部および他端部を有し、当該一端部で、当該パネルのうちの前記スコア線の内側に位置する領域を押圧するタブと、前記タブの前記一端部と前記他端部との間に位置する部位を前記パネルに固定するリベットと、前記リベットよりも、前記タブの前記一端部側に位置し、当該リベットと当該一端部とを接続し、前記パネルに対向する側にパネル対向部を備え、前記スコア線にて当該パネルの破断が生じて当該タブの当該一端部が前記第２の面側に向かって移動するのに伴い曲がる接続部と、前記接続部の前記パネル対向部に設けられ、前記一方向における位置が互いに異なるように配置され、当該接続部の前記曲がりに伴い互いに接触する接触部と、を備える缶蓋である。
また、前記接触部は、前記接続部の前記パネル対向部から突出した突出部によって構成されていることを特徴とすることができる。この場合、接続部のパネル対向部が平坦な面であっても、パネル対向部に、接触部を設けることができる。
また、前記突出部は、当該突出部の頂部の部分が除去された形状を有していることを特徴とすることができる。この場合、突出部の頂部の部分が除去されていない形状である場合に比べ、パネルからのタブの浮き量を低減できる。
また、前記パネルのうちの前記スコア線の内側に位置する前記領域内には、前記スコア線に接続され、且つ、当該スコア線との接続部から前記領域内に向かうように形成された第２のスコア線が形成されていることを特徴とすることができる。この場合、操作者がタブを操作する際の操作荷重を低減できる。
また、本発明を飲料缶として捉えた場合、本発明が適用される飲料缶は、飲料が収容された缶胴と、当該缶胴に取り付けられた缶蓋と、を備える飲料缶であって、前記缶蓋が、上記の何れかに記載の缶蓋である飲料缶である。
【発明の効果】
【０００６】
本発明によれば、タブの剛性を確保しつつ、操作者がタブを操作する際の操作性を向上させることができる。
【図面の簡単な説明】
【０００７】
【図１】本実施の形態が適用される飲料缶の上面図である。
【図２】（Ａ）〜（Ｄ）は、タブを説明する図である。
【図３】（Ａ）、（Ｂ）は、タブが取り付けられる前の缶蓋を説明する図である。
【図４】タブが操作された際の飲料缶の状態を示した図である。
【図５】タブ舌片部の根元の部分を示した図である。
【図６】溝を説明する図である。
【図７】タブ舌片部付近の他の構成例を示した図である。
【図８】タブが操作される際の、タブ舌片部の根元部分を示した図である。
【図９】タブ舌片部付近の他の構成例を示した図である。
【図１０】タブ舌片部付近の他の構成例を示した図である。
【図１１】他の構成例を示した図である。
【図１２】タブ舌片部付近の他の構成例を示した図である。
【図１３】タブが操作される際の、タブ舌片部の根元部分の状態を示した図である。
【図１４】タブ舌片部付近の他の構成例を示した図である。
【図１５】タブが操作される際の、タブ舌片部の根元部分の状態を示した図である。
【図１６】タブ舌片部付近の他の構成例を示した図である。
【図１７】タブ舌片部付近の他の構成例を示した図である。
【図１８】タブ舌片部付近の他の構成例を示した図である。
【図１９】タブ舌片部付近の他の構成例を示した図である。
【図２０】図１９にて示した突出部をタブの裏面側から眺めた場合の図である。
【図２１】（Ａ）〜（Ｄ）は、図１９、図２０にて示した突出部の形成方法を示した図である。
【図２２】（Ａ）〜（Ｆ）は、スリットの他の例を示した図である。
【図２３】（Ａ）、（Ｂ）は、図１９のＸＸＩＩＩ−ＸＸＩＩＩ線におけるタブの断面図である。
【図２４】第１接触部、第２接触部の変形例を示した図である。
【発明を実施するための形態】
【０００８】
以下、添付図面を参照して、本発明の実施の形態について詳細に説明する。
図１は、本実施の形態が適用される飲料缶１００の上面図である。
この飲料缶１００は、同図に示すように、上部に開口を有するとともに下部に底部を有し且つ筒状に形成された容器本体（缶胴）２００と、容器本体２００の開口に取り付けられこの開口を塞ぐ缶蓋３００とを有している。なお、飲料缶１００の内部には、清涼飲料、炭酸飲料、アルコール飲料などの飲料が収容されている。
【０００９】
缶蓋３００は、基板として機能し容器本体２００に取り付けられる円盤状のパネル４００を有している。このパネル４００の表面（第１の面）には、操作者により操作されるタブ５００が取り付けられている。タブ５００は、操作者によって一方の端部（図中、左端部）が操作されることで（持ち上げられることで）、パネル４００のうちの予め定められた箇所（詳細は後述）に対して他方の端部（先端部）を押し付け、パネル４００を押圧する。
なお、本明細書では、タブ５００の図中左端部を被操作部５０５と称し、タブ５００の図中右端部を先端部５１０と称する。
【００１０】
タブ５００は、パネル４００の中央部からずれた位置に設けられたリベット９００によってパネル４００に固定されている。付言すると、タブ５００は、パネル４００に対して偏心した状態で設けられたリベット９００によってパネル４００に固定されている。さらに、タブ５００は、被操作部５０５と先端部５１０との間に位置する部位がリベット９００によってパネル４００に固定されている。
【００１１】
なお、タブ５００は、パネル４００の中央部に設けられたリベット９００によってパネル４００に固定してもよい。
また、本実施形態では、先端部５１０が円弧状に形成されたタブ５００を例示するが、タブ５００は、矩形状に形成することもでき、この場合は、タブ５００の先端部５１０が直線状となる。
【００１２】
図２の（Ａ）〜（Ｄ）（タブ５００を説明する図）を参照し、タブ５００について説明する。
なお、同図（Ａ）はタブ５００の正面図であり、同図（Ｂ）は同図（Ａ）のＩＩＢ−ＩＩＢ線における断面図である。また、同図（Ｃ）は同図（Ａ）における矢印ＩＩＣ方向からタブ５００を眺めた場合の図である。同図（Ｄ）は、タブ５００の裏面図である。付言すると、同図（Ｄ）は、パネル４００（図１参照）に対向する対向面側からタブ５００を眺めた場合の図である。
【００１３】
タブ５００は、同図（Ａ）に示すように、板状に形成され且つ略矩形状に形成されたタブ本体部５２０を有している。また、タブ５００は、同図（Ａ）、（Ｄ）に示すように、表面５００Ａおよび裏面５００Ｂを有している。
【００１４】
また、本実施形態では、同図（Ｂ）、（Ｄ）に示すように、タブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。これにより、本実施形態では、タブ５００の曲げ剛性が高められている。
【００１５】
さらに、タブ５００には、同図（Ａ）に示すように、被操作部５０５側に、操作者の指が引っ掛けられる貫通孔（フィンガーホール）５３０が形成されている。
また、タブ５００には、Ｕ字状に形成され、タブ本体部５２０を貫通する貫通部（タンピアス）５６０が設けられている。ここで、Ｕ字状に形成されたこの貫通部５６０は、一端５６０Ａおよび他端５６０Ｂを有し、さらに、タブ５００の被操作部５０５側に向かって膨らむように形成されている。
【００１６】
さらに、タブ５００には、同図（Ａ）に示すように、Ｕ字状の貫通部５６０の内側に、タブ舌片部５５０が設けられている。このタブ舌片部５５０は、図中右端部（タブ舌片部５５０の根元部分）が、タブ本体部５２０に接続されている。さらに、タブ舌片部５５０は、タブ本体部５２０に接続された箇所を始点とした場合に、図中左方向に延びるように形成されている。
【００１７】
さらに、本実施形態では、同図（Ａ）に示すように、タブ舌片部５５０に、パネル４００に設けられた突出部４２０（後述）が挿入される挿入孔５４０が形成されている。
また、本実施形態では、同図（Ｄ）に示すように、タブ舌片部５５０の根元の部分に（タブ舌片部５５０とタブ本体部５２０との接続部分に）、且つ、タブ５００の裏面５００Ｂ側に、溝５８０が形成されている。この溝５８０は、タブが延びる方向である一方向（長手方向）（図中、左右方向）に対して直交する方向（交差する方向）に進行するように形成されている。
【００１８】
付言すると、本実施形態では、図２（Ｄ）にて示す接続部分２Ｆに、溝５８０が形成されている。本実施形態では、この接続部分２Ｆによって、リベット９００（図１参照）と、タブ５００の先端部５１０とが接続される構成となっているが、本実施形態では、この接続部分２Ｆに、溝５８０が形成されている。さらに説明すると、溝５８０は、接続部分２Ｆのうち、パネル４００（図１）に対向するパネル対向面側に形成されている。
【００１９】
図３の（Ａ）、（Ｂ）は、タブ５００が取り付けられる前の缶蓋３００を説明する図である。なお、同図（Ａ）は、正面図であり、同図（Ｂ）は、同図（Ａ）のＩＩＩＢ−ＩＩＩＢ線における断面図である。
【００２０】
図３（Ａ）に示すように、本実施形態の缶蓋３００は、円盤状に形成されたパネル４００を備えている。このパネル４００は、曲げ加工が施された外周縁４１０を有している。本実施形態では、この外周縁４１０と容器本体２００（図１参照）の上縁部（不図示）とが互いに接触した状態で、この外周縁４１０および上縁部に対し、いわゆる巻き締め加工が施される。これにより、缶蓋３００が容器本体２００の上縁部に固定される。
【００２１】
さらに、缶蓋３００には、タブ５００がパネル４００に固定される際に押しつぶされ、上述したリベット９００（図１参照）となる突出部（ニップル）４２０が形成されている。
また、パネル４００の表面には、第１スコア線４３０が形成されている。
【００２２】
第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。さらに説明すると、第１スコア線４３０は、タブ５００がパネル４００を押圧することにより発生するパネル４００の破断が、パネル４００の予め定められた箇所に生じるように、この破断を促す役割を有する。
【００２３】
ここで、第１スコア線４３０には、Ｕ字状に形成されたＵ字状部４３０Ａと、このＵ字状部４３０Ａに接続された直線部４３０Ｂとが設けられている。
Ｕ字状部４３０Ａは、パネル４００の中心部ＣＰ側からパネル４００の外周縁４１０側に向かって膨らむように形成され、パネル４００を正面から眺めた場合の形状がＵ字状となっている。さらに、Ｕ字状部４３０Ａは、パネル４００の中心部ＣＰ側に一端部４３１および他端部４３２を有し、パネル４００の外周縁４１０側に頂部４３３Ａを有する。
【００２４】
直線部４３０Ｂは、Ｕ字状部４３０Ａの一端部４３１に接続され、さらに、一端部４３１との接続部を始点として、Ｕ字状部４３０Ａの他端部４３２に向かって延びるように形成されている。付言すると、直線部４３０Ｂは、一端部４３１との接続部を始点として、Ｕ字状部４３０Ａの他端部４３２に向かうように形成されている。さらに、直線部４３０Ｂは、図中下側に位置し一端部４３１に接続された下端部４９１と、図中上側に位置し他端部４３２の近くに配置された上端部４９２とを有する。
【００２５】
本実施形態では、Ｕ字状部４３０Ａの他端部４３２、および、直線部４３０Ｂの上端部４９２がカールしており、他端部４３２を超えてのパネル４００の破断、および、上端部４９２を超えてのパネル４００の破断が抑制されるようになっている。このようにカールをしておらず、直線状に形成されている場合、他端部４３２を超えた箇所、また、上端部４９２を超えた箇所にて、パネル４００が裂け、パネル４００の破断が生じるおそれがある。
【００２６】
Ｕ字状部４３０Ａの一端部４３１は、タブ５００の中心線ＣＬ（タブ５００の長手方向に沿った中心線）（図２（Ｄ）も参照）を挟んで相対する二つの領域のうちの一方の領域（図中、下側の領域）側に配置されている。一方、他端部４３２は、中心線ＣＬを挟んで相対する二つの領域のうちの他方の領域（図中、上側の領域）側に配置されている。また、本実施形態では、タブ５００の中心線ＣＬを対称軸として線対称となるように、Ｕ字状部４３０Ａが形成されている。
【００２７】
さらに、本実施形態では、直線部４３０Ｂの上端部４９２と、Ｕ字状部４３０Ａの他端部４３２とが、互いに離れた状態で設けられており、これにより、上端部４９２と他端部４３２との間に、第１スコア線４３０が形成されていない不連続部４８０が設けられている。この不連続部４８０が設けられることによって、後述するパネル舌片部４４０がパネル４００から離脱せず、パネル舌片部４４０がパネル４００に取り付いたままの状態となる。なお、本実施形態では、タブ５００の中心線ＣＬは、図３（Ａ）に示すように、パネル４００の中心部ＣＰと、パネル４００に形成された突出部４２０とを通過する。
【００２８】
また、本実施形態では、上記中心線ＣＬと直交する仮想線であって突出部４２０（リベット９００）を通る仮想線（以下、この仮想線を「リベットラインＲＬ」と称する）を想定した場合に、上記一端部４３１および他端部４３２は、このリベットラインＲＬよりもパネル４００の中心部ＣＰ側に位置する。
また、本実施形態では、図３（Ａ）に示すように、中心線ＣＬと直交する仮想線ＫＬであってパネル４００の中心部ＣＰを通る仮想線ＫＬを挟んで相対する２つの領域のうちの一方の領域内に頂部４３３Ａが位置し、他方の領域内に一端部４３１および他端部４３２が位置する。
【００２９】
さらに、リベット９００となる突出部４２０は、パネル４００のうちの第１スコア線４３０により囲まれている部位に設けられている。また、Ｕ字状部４３０Ａには、図３（Ａ）に示すように湾曲部４３３が設けられている。この湾曲部４３３は、パネル４００の外周縁４１０側に膨らみ、また、突出部４２０よりもパネル４００の外周縁４１０側を通る。
【００３０】
本実施形態では、操作者によりタブ５００が操作されることで、第１スコア線４３０により囲まれた領域がタブ５００により押圧され、第１スコア線４３０が形成されている箇所にてパネル４００が破断する（詳細は後述）。これにより、第１スコア線４３０が形成されている領域が舌片状となり、且つ、この領域が飲料缶１００の内部に向かって折れ曲がる。これにより、飲料缶１００に、飲み口としての役割を果たす開口が形成される。
なお、本明細書では、以下、第１スコア線４３０にて生じる破断により形成される上記舌片状の部位をパネル舌片部４４０と称する場合がある。
【００３１】
さらに、本実施形態では、図３（Ａ）に示すように、パネル４００の表面に、第２スコア線４５０が形成されている。この第２スコア線４５０も、パネル４００の表面に形成された溝により構成されており、パネル４００の破断を誘導する役割を果たす。第２スコア線４５０は、リベットラインＲＬを挟み相対する２つの領域のうちの、頂部４３３Ａが設けられている領域内に設けられている。
【００３２】
また、第２スコア線４５０は、一端部４５１および他端部４５２を有している。ここで第２スコア線４５０の他端部４５２は、第１スコア線４３０に設けられた湾曲部４３３に接続されている。このため、本実施形態では、第１スコア線４３０と第２スコア線４５０とが接続する箇所にて、スコア線が分岐する。
【００３３】
第２スコア線４５０の他端部４５２は、第１スコア線４３０の湾曲部４３３のうちの中心線ＣＬとリベットラインＲＬとの間に位置する部位に対して接続されている。さらに説明すると、第２スコア線４５０の他端部４５２は、第１スコア線４３０のうちの頂部４３３Ａと他端部４３２との間に位置する部位に接続されている。
【００３４】
また、本実施形態では、第２スコア線４５０は、第１スコア線４３０との接続部から、第１スコア線４３０により囲まれている領域内に向かうように設けられている。
また、本実施形態では、中心線ＣＬと直交する関係で配置されたリベットラインＲＬよりも頂部４３３Ａが設けられている側に、第１スコア線４３０と第２スコア線４５０との接続部が設けられている。
【００３５】
また、本実施形態では、リベットラインＲＬよりも領域ＲＡが位置する側に、第１スコア線４３０と第２スコア線４５０との接続部が設けられている。付言すると、本実施形態では、領域ＲＡの部分が、タブ５００の先端部５１０によって押圧されるが、本実施形態では、押圧されるこの領域ＲＡとリベットラインＲＬとの間に、第２スコア線４５０が設けられている。
【００３６】
なお、本実施形態では、パネル４００の中心部ＣＰ側から図中右上方向に向かうように第２スコア線４５０が形成されている場合を説明したが、第２スコア線４５０は、図中右下方向に向かうように形成してもよい。この場合、第２スコア線４５０は、Ｕ字状部４３０Ａの頂部４３３Ａと一端部４３１との間に位置する部位に接続される。
【００３７】
さらに、第２スコア線４５０の一端部４５１は、突出部４２０の近傍に設けられている。また、第２スコア線４５０の一端部４５１は、中心線ＣＬを挟んで相対する２つの領域のうちの一方の領域側に配置され、第２スコア線４５０の他端部４５２は、この２つの領域のうちの他方の領域側に配置されている。
さらに、第２スコア線４５０は、他端部４５２から突出部４２０に向かう直線部４５３を有する。また、直線部４５３に接続されるとともに円柱状に形成された突出部４２０との間に距離を有して配置され且つ突出部４２０の外周縁に沿うように形成された湾曲部４５４を有する。
【００３８】
第２スコア線４５０の湾曲部４５４は、頂部４３３Ａと突出部４２０との間に形成されている。また、湾曲部４５４は、パネル４００のうちのタブ５００により押圧される領域ＲＡと突出部４２０との間を通過するように設けられている。付言すると、本実施形態では、上記領域ＲＡよりも突出部４２０（リベット９００）が設けられている側を通るように、第２スコア線４５０が設けられるとともに、この第２スコア線４５０は、領域ＲＡと突出部４２０との間を通過する。
【００３９】
また、第２スコア線４５０の湾曲部４５４は、中心線ＣＬと交差するように設けられている。さらに説明すると、本実施形態における第２スコア線４５０は、領域ＲＡと突出部４２０との間を通過した後、中心線ＣＬと交差する方向に沿って進行し、第１スコア線４３０のＵ字状部４３０Ａに接続される。
【００４０】
さらに説明すると、中心線ＣＬと交差する方向に沿って且つＵ字状部４３０Ａに向かって進行する第２スコア線４５０は、領域ＲＡの脇を通過する。また、第２スコア線４５０は、領域ＲＡと突出部４２０との間を通過した後、リベットラインＲＬから次第に離れるように進行し、Ｕ字状部４３０Ａに接続される。
【００４１】
ここで、本実施形態の構成においては、タブ５００がユーザにより操作され、領域ＲＡの部分がタブ５００の先端部５１０によって押圧されると、第２スコア線４５０のうちの、領域ＲＡとリベット９００（突出部４２０）との間に位置する部分にて、パネル４００の破断が生じる。
その後、第２スコア線４５０に沿ってのパネル４００の破断が生じ、第１スコア線４３０と第２スコア線４５０との接続部までパネル４００の破断が生じる。その後、この接続部から、第１スコア線４３０の他端部４３２に向かうパネル４００の破断と、第１スコア線４３０の上端部４９２に向かうパネル４００の破断が生じる。
【００４２】
図４は、タブ５００が操作された際の飲料缶１００の状態を示した図である。なお、図４では、図中上段に、飲料缶１００を上方から眺めた場合の図を示し、図中中段および図中下段に、缶蓋３００の中央部における断面図を示している。
【００４３】
図４（Ａ）は、タブ５００を引き起こす前の飲料缶１００の状態を示している。
図４（Ｂ）は、タブ５００の引き起こしを開始した直後の、飲料缶１００の状態を示している。この状態では、第２スコア線４５０にてパネル４００の破断が生じ、さらに、第１スコア線４３０の一部にて、パネル４００の破断が生じている。具体的には、リベットラインＲＬまで、パネル４００の破断が生じている。
【００４４】
ここで、同図（Ｂ）の状態では、同図（Ｂ１）、（Ｂ２）に示すように、タブ舌片部５５０の根元付近にて、タブ５００が屈曲している。付言すると、同図（Ｂ１）、（Ｂ２）に示す状態では、タブ５００の先端部５１０が、飲料缶１００の内部に入り込む一方で、リベット９００の部分については、内部に入り込んでおらず、これに伴い、タブ舌片部５５０の根元付近にて、タブ５００が曲がる。
【００４５】
同図（Ｃ）は、タブ５００の引き起こしが更に行われた後の状態を示している。この状態では、第１スコア線４３０にてパネル４００の破断がさらに生じ、パネル舌片部４４０が形成されている。さらに、この状態では、不連続部４８０（図３（Ａ）参照）において、パネル４００の曲げが開始されている。
図４（Ｄ）は、タブ５００の引き起こしが更に行われた状態を示している。この段階では、パネル４００の曲げが更に行われており、飲料缶１００のさらに内部側に、パネル舌片部４４０が押し込まれている。
【００４６】
ここで、図４（Ｂ）の段階においては、上記のとおり、タブ５００の先端部５１０が、飲料缶１００の内部に入り込む一方で、リベット９００の部分については、内部に入り込まない。かかる場合、タブ舌片部５５０の根元の部分で、タブ５００が曲がる（傾く）ようになる。
ところで、このタブ舌片部５５０の根元の部分の剛性が小さく、タブ５００が曲がりやすい場合には、同図（Ｂ３）で示すように、このタブ舌片部５５０の根元部分において、タブ５００が大きく曲がる。
【００４７】
この場合、図４（Ｃ）、（Ｄ）に示したような、飲料缶１００内部へのパネル舌片部４４０の入り込みが起きず、形成される開口が、本来予定していた開口よりも小さくなってしまうおそれがある。付言すると、タブ５００の被操作部５０５に与えられた、操作者からの力が、飲料缶１００内部へパネル舌片部４４０を入り込ませようとする力として作用せず、パネル舌片部４４０を部分的に曲げるための力として作用してしまう。
このような不具合の発生を抑制するには、タブ舌片部５５０の根元の部分の曲げ剛性を高めておく必要が生じる。
【００４８】
その一方で、タブ舌片部５５０の根元の部分の曲げ剛性が大きいと、曲げ剛性が小さい場合に比べ、タブ５００の変形が起きにくくなり、操作者がタブ５００を引き越す際の操作性が低下しやすい。付言すると、操作者がタブ５００を引き越す際には、操作者は、タブ５００とパネル４００との間に指を入れる必要が生じるが、この際に、指が入りにくくなる。
【００４９】
また、タブ舌片部５５０の根元の部分の曲げ剛性が大きいと、曲げ剛性が小さい場合に比べ、開口性も悪くなる。
ここで、スコア線にてパネル４００の破断を生じさせる際には、タブ５００の被操作部５０５に対して力を加える必要があるが、上記のように、曲げ剛性が大きいと、被操作部５０５には、パネル４００の破断のための力だけでなく、タブ舌片部５５０を屈曲させる力も必要になる。かかる場合、開口性が悪くなってしまう。
【００５０】
このため、本実施形態では、図２（Ｄ）にて示したように、タブ舌片部５５０の根元の部分に、溝５８０を形成することで、タブ５００の剛性の確保、および、操作者の操作性の向上の両立を図っている。具体的には、タブ５００の操作初期においては、タブ舌片部５５０の根元部分の曲げ剛性が小さくなるようにし、タブ５００の操作がある程度行われると、タブ舌片部５５０の根元部分の曲げ剛性が大きくなるようにしている。
【００５１】
付言すると、本実施形態では、パネル４００における破断が、リベットラインＲＬを過ぎると、タブ５００の曲げ剛性が高くなるように設定が変更され、リベット９００のあたりを中心とした回転モーメントが、パネル舌片部４４０に作用し、これにより、パネル舌片部４４０が飲料缶１００の内部に入りやすくなる。その一方で、パネル４００における破断が、リベットラインＲＬに達するまでは、タブ５００の曲げ剛性が小さくなっており、操作者は、タブ５００の被操作部５０５とパネル４００との間に、指を入れやすくなっている。
【００５２】
図５は、タブ舌片部５５０の根元の部分を示した図である。付言すると、図５は、図２（Ｂ）にて符号Ｖで示した部分の拡大図である。
図５（Ａ）は、タブ５００が操作される前の状態を示している。
上記では説明を省略したが、本実施形態の溝５８０は、同図（Ａ）に示すように、台形溝となっている。さらに、本実施形態の溝５８０では、溝側面５８０Ｌと溝側面５８０Ｒとが、互いに距離を有し且つ互いに向き合うようになっている。
また、本実施形態では、溝５８０が設けられることによって、タブ５００に、薄肉部５９０が設けられている。
なお、溝５８０の深さは深さ△ｔとなっており、タブ５００の板厚は、板厚ｔとなっている。さらに、薄肉部５９０の厚さは、厚さ（ｔ−△ｔ）となっている。
【００５３】
図５（Ｂ）は、パネル４００とタブ５００との間に、操作者の指が入れられたときの状態を示している。
パネル４００とタブ５００との間に操作者の指が入れられると、同図（Ｂ）に示すように、図中上側に向かって凸となるように、タブ５００が屈曲する。この際、本実施形態では、この屈曲が、薄肉部５９０で起こるようになり、タブ５００が曲がりやすくなる。このため、操作者は、パネル４００とタブ５００との間に指を入れやすくなる。
【００５４】
図５（Ｃ）は、パネル４００とタブ５００との間に操作者の指が入れられた後、タブ５００の引き起こしが更に行われた後の状態を示している。
この状態となると、溝側面５８０Ｌと溝側面５８０Ｒとが互いに突き当たるようになる。これにより、タブ舌片部５５０の根元における曲げ剛性が増加する。これにより、パネル舌片部４４０を飲料缶１００の内部に入れ込もうとする力が増加する。
【００５５】
図６は、溝５８０を説明する図である。
上記では、溝５８０が、台形溝により構成された場合を一例に説明したが、溝５８０は、台形溝に限らず、他の形状を採用してもよい。
例えば、図６（Ａ）に示すように、溝側面５８０Ｌと溝側面５８０Ｒとが互いに平行に配置された並行溝としてもよい。また、同図（Ｂ）に示すように、底部の隅に対して曲率を付与した平行溝としてもよい。なお、上記台形溝の底部の隅に対しても、同様に、曲率を付与することができる。
また、溝５８０を形成する範囲も特に制限はなく、タブ舌片部５５０の幅方向の全域に亘って溝５８０を形成してもよいし、タブ舌片部５５０の幅方向の一部に、溝５８０を形成してもよい。
【００５６】
図７は、タブ舌片部５５０付近の他の構成例を示した図である。
なお、同図（Ａ）は、タブ５００の表面５００Ａ側からタブ舌片部５５０等を眺めた場合の図であり、同図（Ｂ）は、同図（Ａ）のＶＩＩＢ−ＶＩＩＢ線における断面図であり、同図（Ｃ）は、同図（Ａ）のＶＩＩＣ−ＶＩＩＣ線における断面図である。
【００５７】
本実施形態では、貫通部５６０の周縁の部分であって、貫通部５６０の一端５６０Ａが位置する部分、および、他端５６０Ｂが位置する部分に対して、曲げ加工を行っている。これにより、本実施形態では、同図（Ｂ）、（Ｃ）に示すように、タブ５００の裏面５００Ｂ側に突出する突出部５８６が設けられている。
【００５８】
さらに、本実施形態では、同図（Ｂ）に示すように、突出部５８６に対して、溝５８０を形成している。この溝５８０は、上記と同様に、タブ５００の長手方向に沿った中心線ＣＬに対して直交（交差）する方向に向かって進行するように形成されている。さらに説明すると、本図にて示す溝５８０は、図２（Ｄ）にて示した溝５８０の延長線の上に載るように形成されている。なお、図７にて示す形態では、突出部５８６にのみ、溝５８０を形成したが、突出部５８６、および、タブ舌片部５５０の根元部分の両者に、溝５８０を形成してもよい。
【００５９】
ここで、図７にて示す形態では、タブ５００の肉厚が小さくても、タブ５００に対する溝５８０の形成を行えるようになる。付言すると、図２にて示した形態では、板状となっている部分に対して、溝５８０を直接形成する形態であるため、タブ５００の肉厚が小さいと、溝５８０の形成が難しくなる。
一方で、本実施形態では、突出部５８６を形成したうえで、この突出部５８６に対して溝５８０を形成するため、タブ５００の肉厚が小さくても、溝５８０の形成を行える。
【００６０】
図８は、タブ５００が操作される際の、タブ舌片部５５０の根元部分を示した図である。
図８（Ａ）は、タブ５００の操作が開始される前の状態を示しており、溝５８０には、上記と同様、互いに向き合う溝側面５８０Ｒ、溝側面５８０Ｌが設けられている。
また、溝５８０の深さは、深さｈとなっている。なお、本実施形態では、タブ５００の裏面５００Ｂからの、突出部５８６の突出量と、この深さｈとが一致している。さらに、本実施形態では、タブ舌片部５５０の根元部分の肉厚（タブ５００自体の肉厚）は、肉厚ｔとなっている。
【００６１】
同図（Ｂ）は、パネル４００とタブ５００との間に操作者の指が入れられたときの状態を示している。
パネル４００とタブ５００との間に操作者の指が入れられるのに伴い、タブ舌片部５５０の根元にて、タブ５００の屈曲が起こるが、この際、同図（Ｂ）に示すように、溝側面５８０Ｒと溝側面５８０Ｌとは接触しておらず、タブ５００は曲がりやすい状態にある。このため、パネル４００とタブ５００との間に、操作者の指が入りやすくなる。
【００６２】
同図（Ｃ）は、タブ５００の引き起こしが更に行われた後の状態を示している。
この状態となると、溝側面５８０Ｌと溝側面５８０Ｒとが突き当たるようになる。これにより、タブ舌片部５５０の根元部分の曲げ剛性が増加する。
付言すると、溝側面５８０Ｌと溝側面５８０Ｒとが突き当たる前は、肉厚ｔの部分の曲げが行われていたが、溝側面５８０Ｌと溝側面５８０Ｒとが突き当たった後は、肉厚ｔに対して、突出部５８６の突出寸法を足した寸法の部分に対する曲げを行うこととなり、曲げ剛性が増加する。そして、この場合、上記と同様、パネル舌片部４４０を飲料缶１００の内部に入れ込もうとする力が増加する。
【００６３】
なお、図７、図８にて示した構成例では、溝５８０の深さｈと、突出部５８６の突出寸法とが同じである場合を一例に説明したが、これに限らず、例えば、溝５８０の深さｈを、突出部５８６の突出寸法より大きくしてもよい。また、溝５８０の深さｈを、突出部５８６の突出寸法より小さくしてもよい。
さらに、溝５８０は、突出部５８６のみに形成してもよいし、突出部５８６、および、タブ舌片部５５０の根元部分の両者に、形成してもよい。
また、上記では、曲げ加工を行って突出部５８６を形成したが、図９（タブ舌片部５５０付近の他の構成例を示した図）に示すように、カール加工を行って、突出部５８６を形成してもよい。
【００６４】
また、突出部５８６は、図１７、図１８（タブ舌片部５５０付近の他の構成例を示した図）に示すように形成してもよい。なお、図１７（Ａ）は、タブ５００の表面５００Ａ側の状態を示し、図１７（Ｂ）は、タブ５００の裏面５００Ｂ側の状態を示している。さらに、図１８は、図１７（Ａ）における、ＸＶＩＩＩ−ＸＶＩＩＩ線における断面の状態を示している。
【００６５】
この構成例では、タブ５００の表面５００Ａ側からタブ５００に対して金型を押し当て、タブ５００に対しエンボス加工を行っている。これにより、タブ５００の裏面５００Ｂ側には、且つ、タブ舌片部５５０の根元の部分には、図１７、図１８に示すように、パネル４００側に向かって突出する２つの突出部５８６が形成される。
【００６６】
ここで、２つの突出部５８６は、図１７に示すように、タブ５００の中心線ＣＬ（タブ５００の長手方向に沿った中心線）と直交（交差）する方向において、互いにずれた状態で配置されている。
さらに、突出部５８６の各々には、図１７（Ｂ）、図１８（Ａ）に示すように、タブ５００の中心線ＣＬと直交（交差）する方向に沿って形成された溝５８０が形成されている。この溝５８０は、突出部５８６の頂部側から突出部５８６の内部側に凹むように形成されている。さらに、突出部５８６の各々には、図１８（Ａ）に示すように、溝５８０に面する溝側面５８０Ｌ、溝側面５８０Ｒが設けられている。
【００６７】
ここで、タブ５００の操作された際の突出部５８６の状態を説明する。
タブ５００の操作が開始された初期の段階では、溝側面５８０Ｒと溝側面５８０Ｌとが非接触の状態となっている。かかる場合、上記のとおり、タブ５００が曲がりやすくなり、パネル４００とタブ５００との間に、操作者の指が入りやすくなる。
そして、タブ５００がさらに操作されると、図１８（Ｂ）に示すように、突出部５８６に設けられた溝側面５８０Ｌと溝側面５８０Ｒとが突き当たる。これにより、タブ舌片部５５０の根元部分の曲げ剛性が増加し、パネル舌片部４４０（図４参照）を飲料缶１００の内部に入れ込もうとする力が増加する。
【００６８】
なお、溝５８０は、突出部５８６のみに限らず、図１７（Ｂ）の符号１７Ｄに示すように、２つの突出部５８６の間に形成してもよい。付言すると、突出部５８６、および、タブ舌片部５５０の根元部分の両者に、溝５８０を形成してもよい。
さらに、図１７、図１８では、突出部５８６が半球状に形成された場合を一例に説明したが、突出部５８６は、楕円、長円、矩形、三角形など、他の形状としてもよい。
また、突出部５８６に形成した溝５８０の断面形状も特に制限されず、Ｖ字形状や、矩形形状とすることもできる。さらに、逆台形形状としてもよい。
【００６９】
図１９は、タブ舌片部５５０付近の他の構成例を示した図である。付言すると、タブ５００の表面５００Ａ側から、タブ舌片部５５０付近を眺めた場合の図である。
この構成例では、図１７、図１８にて示した構成例と同様、タブ５００の表面５００Ａ側からタブ５００に対して金型が押し当てられ、タブ５００の裏面５００Ｂ側に突出する２つの突出部５８６が設けられている。
この２つの突出部５８６は、タブ５００の中心線ＣＬ（タブ５００の長手方向に沿った中心線）と直交（交差）する方向において、互いにずれた状態で配置されている。
【００７０】
図２０は、図１９にて示した突出部５８６をタブ５００の裏面５００Ｂ側から眺めた場合の図である。
本実施形態の突出部５８６は、図中上方から眺めた場合の形状が楕円となるように形成されている。さらに、突出部５８６は、その長軸方向がタブ５００の中心線ＣＬ（図１９参照）に沿うように配置されている。
【００７１】
また、突出部５８６には、タブ５００の中心線ＣＬ（図１９参照）と直交する方向に沿って延びる溝５８０が形成されている。さらに、突出部５８６の各々には、溝５８０に面する溝側面５８０Ｌ、溝側面５８０Ｒが設けられている。
また、本実施形態では、溝５８０の幅が、溝５８０の長手方向において異なっており、溝５８０の長手方向における中央部の幅の方が、溝５８０の長手方向における端部の幅よりも大きくなっている。言い換えると、突出部５８６の頂部と突出部５８６の根元部とで、溝５８０の幅が異なっており、突出部５８６の頂部における溝５８０の幅の方が、突出部５８６の根元部における溝５８０の幅よりも大きくなっている。
【００７２】
タブ５００が操作された場合は、上記と同様、突出部５８６に設けられた溝側面５８０Ｌと溝側面５８０Ｒとが突き当たる。これにより、上記と同様、タブ舌片部５５０の根元部分の曲げ剛性が増加し、パネル舌片部４４０（図４参照）を飲料缶１００の内部に入れ込もうとする力が増加する。
【００７３】
図２１（Ａ）〜（Ｄ）は、図１９、図２０にて示した突出部５８６の形成方法を示した図である。
突出部５８６の形成にあたっては、図２１（Ａ）に示すように、予め、タブ舌片部５５０の根元部分に、スリットＳＬを形成しておく。具体的には、２つの突出部５８６に対応するように２つのスリットＳＬを形成しておく。
【００７４】
ここで、この例では、長手方向における両端部における幅の方が、中央部における幅よりも大きいスリットＳＬを形成する。
また、タブ５００の製造にあたっては、通常、板材に対する打ち抜き加工を行って、タブ５００の元となる板状の基材を形成するが、この打ち抜き加工時に、この基材に対してスリットＳＬを形成しておく。
【００７５】
次いで、図２１（Ｂ）に示すように、楕円状の開口６１０を有したダイ６００で、上記基材（タブ５００の元となる基材）（以下、「基材６２０」と称する）を下方から支持する。この際、開口６１０の縁の内側に上記スリットＳＬが位置するように、ダイ６００に対して、基材６２０を設置する。
【００７６】
次いで、図２１（Ｂ）、（Ｄ）に示すように、ダイ６００に形成された開口６１０に向けてパンチ６３０を進出させる。このパンチ６３０の先端には、上記突出部５８６の内面形状と同じ形状が付与されている。
これにより、図２１（Ｃ）、（Ｄ）に示すように、パンチ６３０の先端の形状に倣うように基材６２０が変形して、突出部５８６が形成される。
【００７７】
ここで、本実施形態では、このように、基材６２０の形成時にスリットＳＬを形成し、スリットＳＬが形成された基材６２０にパンチ６３０を押し当てて、溝５８０を有した突出部５８６を形成する。この場合、突出部５８６を形成した後に、突出部５８６に対して金型を押し付けて溝５８０を形成する場合に比べ、製造工程の簡素化を図れる。
【００７８】
図２２（Ａ）〜（Ｆ）は、スリットＳＬの他の例を示した図である。
図２２（Ａ）では、長手方向における端部の幅の方が、長手方向における中央部の幅よりも大きいスリットＳＬを例示している。付言すると、長手方向における端部から長手方向における中央部に向かうに従い、幅が次第に小さくなるスリットＳＬを例示している。
また、この例では、スリットの４隅に対して曲率を付与している（Ｒ加工を施している）。
【００７９】
図２２（Ｂ）では、矩形状に形成されたスリットＳＬを例示している。付言すると、長手方向における端部の幅と、長手方向における中央部の幅とが等しいスリットＳＬを例示している。また、この例では、スリットＳＬの４隅の曲率を、図２２（Ａ）で示した態様よりも大きくし、スリットＳＬの４隅が角部となっている。
【００８０】
図２２（Ｃ）では、長手方向における端部の幅と、長手方向における中央部の幅とが等しいスリットＳＬを例示している。さらに、この例では、スリットＳＬの長手方向における端部の位置する側辺（短辺）に曲率を付与し、この側辺を半円状に形成している。
付言すると、この例でも、スリットＳＬは略矩形状に形成され、４つの側辺を有するが、この４つの側辺のうち、スリットＳＬの長手方向における両端に位置する側辺を、外側方向へ膨らむように湾曲させている。
【００８１】
図２２（Ｄ）では、長手方向における両端部に対して曲率が付与され、両端部が円形となっているスリットＳＬを例示している。
図２２（Ｅ）に示す例では、長手方向における端部の幅の方が、長手方向における中央部の幅よりも小さいスリットＳＬを例示している。付言すると、長手方向における端部から長手方向における中央部に向かうに従い、幅が次第に大きくなるスリットＳＬを例示している。
図２２（Ｆ）では、図２２（Ａ）にて示したスリットＳＬと同様、長手方向における端部の幅の方が、長手方向における中央部の幅よりも大きいスリットＳＬを例示している。また、この例では、スリットＳＬの４隅が角部となっている。
【００８２】
ここで、図２０では、長手方向における中央部の幅よりも長手方向における端部の幅の方が小さい溝５８０を例示したが、これとは逆に、長手方向における中央部の幅よりも長手方向における端部の幅の方を大きくする場合は、溝側面５８０Ｌと溝側面５８０Ｒとが突き当たる際の突き当たり位置に、ばらつきが生じにくくなる。
【００８３】
付言すると、本実施形態では、タブ舌片部５５０の根元にてタブ５００が曲がることで、溝５８０の幅が次第に狭まり、やがて、溝側面５８０Ｌと溝側面５８０Ｒとが突き当たるが、中央部の幅よりも端部の幅の方が小さいと、突出部５８６の根元の部分だけで、溝側面５８０Ｌと溝側面５８０Ｒとが突き当たるおそれがある。
また、中央部の幅よりも端部の幅の方が小さいと、突出部５８６の頂部にて溝側面５８０Ｌと溝側面５８０Ｒとが接触し両者が突き当たったとしても、両者の間における接触圧にばらつきが生じやすくなる。
これらの場合、溝側面５８０Ｌと溝側面５８０Ｒとが突き当たる際の突き当たり位置にばらつきが生じやすくなる。
【００８４】
これに対し、長手方向における中央部の幅よりも長手方向における端部の幅の方が大きいと、突出部５８６の頂部にて、溝側面５８０Ｌと溝側面５８０Ｒとがより確実に突き当たるようになる。この場合、溝側面５８０Ｌと溝側面５８０Ｒとが突き当たる際の突き当たり位置がばらつきにくくなる。
また、長手方向における中央部の幅よりも長手方向における端部の幅の方が大きいと、突出部５８６の根元部分（溝５８０の長手方向の端部）における応力集中が抑制されるようになる。
【００８５】
図２３は、図１９のＸＸＩＩＩ−ＸＸＩＩＩ線におけるタブ５００の断面図である。
本実施形態では、図２３（Ａ）に示すように、突出部５８６の断面形状は、半円状となっている。その他、図２３（Ｂ）に示すように、突出部５８６は、その断面形状が半楕円状となるようにしてもよい。また、図示は省略するが、突出部５８６は、その断面形状を、三角形、矩形、多角形としてもよい。
【００８６】
図１０は、タブ舌片部５５０付近の他の構成例を示した図である。
なお、同図（Ａ）は、タブ５００の表面５００Ａ側からタブ舌片部５５０等を眺めた場合の図であり、同図（Ｂ）は、同図（Ａ）のＸＢ−ＸＢ線における断面図である。また、同図（Ｃ）は、変形例を示した図である。
【００８７】
本実施形態では、タブ舌片部５５０および接続部分２Ｆ（図２（Ｄ）参照）に対して、図１０（Ｂ）に示すように、曲げ加工を施し、タブ舌片部５５０の一部、および、接続部分２Ｆの一部を、パネル４００側に突出させている。
付言すると、タブ舌片部５５０および接続部分２Ｆのうち、タブ５００の短手方向における中央部に位置する部分を、パネル４００側に突出させている。さらに説明すると、本実施形態では、タブ５００のうちの、挿入孔５４０の周りに位置する部分（リベット９００に接続される部分）を、パネル４００側に突出させている。
【００８８】
ここで、一般に、パネル４００は平面状であり、タブ５００の裏面５００Ｂ側に突出部５８６を形成すると、タブ舌片部５５０や、上記接続部分２Ｆがパネル４００から浮き、タブ舌片部５５０とパネル４００との間に隙間が生じる。かかる場合、タブ舌片部５５０をパネル４００に対して固定しにくくなる。
【００８９】
また、タブ舌片部５５０をパネル４００に固定できたとしても、突出部５８６がパネル４００に対して常時押し付けられる状態となり、好ましい状態とは言えない。付言すると、この場合、タブ５００がパネル４００側から反力を受けるようになり、パネル４００からタブ５００が外れやすくなる。また、この場合、スコア線に対して応力がかかりやすくなり、スコア線が破壊されやすくなる。
【００９０】
一方で、本実施形態のように、タブ舌片部５５０の一部や、接続部分２Ｆの一部を、パネル４００側に突出させた場合（タブ舌片部５５０や接続部分２Ｆに凸部を設けた場合）、この一部（リベット９００によってパネル４００に固定される部分）を、パネル４００に密着させることができるようになる。この場合、パネル４００へのタブ５００の固定を行いやすくなり、また、突出部５８６がパネル４００に対して押し付けられることも抑制できる。
【００９１】
なお、図１０（Ｂ）に示す例では、曲げ加工を施して、タブ舌片部５５０、接続部分２Ｆの一部を突出させた場合を説明したが、同図（Ｃ）に示すように、タブ舌片部５５０、接続部分２Ｆに対して曲率を付与することで、タブ舌片部５５０、接続部分２Ｆの一部を突出させてもよい。
【００９２】
また、図１０では、曲げ加工を行って形成された突出部５８６を有したタブ５００を一例に説明したが、カール加工を行って形成した突出部５８６を有したタブ５００（図９参照）や、エンボス加工を行って形成した突出部５８６を有したタブ５００（図１７参照）においても、同様に、タブ舌片部５５０や接続部分２Ｆの一部を、パネル４００側に突出させることができる。
【００９３】
図１１は、他の構成例を示した図である。
ここで、図１１では、タブ５００に加え、パネル４００も表示している。また、同図（Ａ）は、タブ５００の表面５００Ａ側からタブ舌片部５５０等を眺めた場合の図であり、同図（Ｂ）は、同図（Ａ）のＸＩＢ−ＸＩＢ線における断面図である。
【００９４】
この構成例では、同図（Ｂ）に示すように、パネル４００に対して凹部４９０を形成している。付言すると、タブ５００に設けられた突出部５８６に対峙する箇所に、凹部４９０を形成し、この凹部４９０内に突出部５８６を収めている。なお、図１１では、曲げ加工を行って形成した突出部５８６を例示しているが、カール加工を行って形成した上記突出部５８６や、エンボス加工を行って形成した上記突出部５８６についても、凹部４９０内に収めることができる。
【００９５】
上記のとおり、パネル４００側に突出する突出部５８６が形成されている場合、タブ５００をパネル４００に固定すると、突出部５８６がパネル４００に対して押し付けられるようになる。また、タブ舌片部５５０や上記接続部分２Ｆがパネル４００から浮くようになる。
【００９６】
これに対し、本実施形態では、凹部４９０の中に、突出部５８６が収容されるようになるため、突出部５８６がパネル４００に対して押し付けられることが抑制され、また、タブ舌片部５５０や上記接続部分２Ｆがパネル４００から浮くことが抑制される。
また、本実施形態の構成では、突出部５８６がパネル４００（凹部４９０の内面）に引っ掛かるようになるため、タブ５００の回転を抑えられるようになる。
なお、本実施形態では、図１１（Ａ）に示すように、凹部４９０は円形に形成されているが、円形以外の形状としてもよい。
【００９７】
図１２は、タブ舌片部５５０付近の他の構成例を示した図である。
なお、同図（Ａ）は、タブ５００の表面５００Ａ側からタブ舌片部５５０等を眺めた場合の図であり、同図（Ｂ）は、同図（Ａ）のＸＩＩＢ−ＸＩＩＢ線における断面図であり、同図（Ｃ）は、同図（Ａ）のＸＩＩＣ−ＸＩＩＣ線における断面図である。
また、図１３は、タブ５００が操作される際の、タブ舌片部５５０の根元部分の状態を示した図である。
【００９８】
本実施形態では、図１２（Ｂ）に示すように、タブ舌片部５５０の根元部分に、且つ、パネル４００に対向する対向側に、第１接触部５５１および第２接触部５５２が設けられている。この第１接触部５５１および第２接触部５５２は、図中左右方向における位置が互いに異なるように配置されている。付言すると、タブ５００の長手方向における位置が互いに異なるように配置されている。さらに説明すると、タブ５００が延びる方向である一方向における位置が互いに異なるように配置されている。
【００９９】
また、図１２（Ｂ）では、一組の第１接触部５５１および第２接触部５５２を示しているが、図１２（Ａ）に示すように、第１接触部５５１および第２接触部５５２は、二組設けられ、図１２（Ａ）では、図中上方に、一組目の第１接触部５５１および第２接触部５５２が設けられ、図中下方に、二組目の第１接触部５５１および第２接触部５５２が設けられている。
【０１００】
なお、本実施形態の第１接触部５５１および第２接触部５５２は、タブ５００に対してエンボス加工を行うことで形成した突出部により構成されている。なお、エンボスの形状は、本例のような半球状に限らず、例えば、円錐、三角錐、直方体なども挙げることができる。
また、第１接触部５５１および第２接触部５５２は、本実施形態のような突出部に限られない。上記にて説明した、溝側面５８０Ｌ、溝側面５８０Ｒのそれぞれも、第１接触部５５１および第２接触部５５２として捉えることができる。
【０１０１】
図１３を参照し、操作者によりタブ５００が操作された際の動きを説明する。
同図（Ａ）は、タブ５００が操作者により操作される前の状態を示している。
また、同図（Ｂ）は、パネル４００とタブ５００との間に、操作者の指が入れられたときの状態を示している。パネル４００とタブ５００との間に操作者の指が入れられると、同図（Ｂ）に示すように、上側に向かって凸となるように、タブ５００が屈曲する。このとき、第１接触部５５１と第２接触部５５２とは未だ接触しておらず、タブ５００は曲がりやすい状態にある。
【０１０２】
同図（Ｃ）は、パネル４００とタブ５００との間に操作者の指が入れられた後、タブ５００の引き起こしが更に行われた際の状態を示している。
この状態となると、第１接触部５５１と第２接触部５５２とが互いに接触し、これにより、タブ舌片部５５０の根元における曲げ剛性が増加する。これにより、上記と同様、パネル舌片部４４０を飲料缶１００の内部に入れ込もうとする力が増加する。
なお、この構成例においても、図１０にて示したように、タブ舌片部５５０および接続部分２Ｆの一部を、パネル４００側に突出させることができる。また、図１１と同様に、第１接触部５５１と第２接触部５５２を収容する凹部４９０を設けてもよい。
【０１０３】
また、第１接触部５５１と第２接触部５５２は、図２４（第１接触部５５１、第２接触部５５２の変形例を示した図）に示す形態としてもよい。なお、この図２４では、第１接触部５５１、第２接触部５５２の断面の状態を示している。
図２４に示す例では、半球状に形成された、第１接触部５５１、第２接触部５５２の頂部が存在せず、第１接触部５５１、第２接触部５５２は、その頂部が除去された形状となっており、図１２、図１３にて示した態様よりも、第１接触部５５１、第２接触部５５２の高さ寸法が小さくなっている。
【０１０４】
第１接触部５５１、第２接触部５５２のような突出部を設けると、パネル４００からタブ５００が浮いてしまうが、図２４に示したように、頂部を除去した形状であると、第１接触部５５１、第２接触部５５２の高さ寸法が減り、パネル４００からのタブ５００の浮き量を低減できる。また、第１接触部５５１、第２接触部５５２を収容する凹部４９０を設ける場合には、凹部４９０の深さを小さくできる。
【０１０５】
第１接触部５５１、第２接触部５５２が設けられた構成では、図１３（Ｃ）に示すように、第１接触部５５１、第２接触部５５２は、頂部の部分ではなく、側部の部分が互いに接触する。このため、頂部が無い構成であっても、特に不具合は生じない。
ここで、図２４にて示すこの第１接触部５５１、第２接触部５５２は、例えば、タブ５００の元となる板状の基材に対して穴開け加工を行い、次いで、エンボス加工を行うことで形成できる。
また、図２４にて示すこの第１接触部５５１、第２接触部５５２の全体の形状も特に制限されず、円錐台、三角錐台、直方体としてもよい。また、頂部の部分には、貫通孔が形成されることになるが、この貫通孔の形状も特に制限されず、貫通孔の形状（貫通孔を正面から眺めた場合の形状）は、例えば、円形、楕円形、矩形とすることができる。
【０１０６】
図１４は、タブ舌片部５５０付近の他の構成例を示した図である。また、図１５は、タブ５００が操作される際の、タブ舌片部５５０の根元部分の状態を示した図である。
なお、図１４（Ａ）は、タブ５００の表面５００Ａ側からタブ舌片部５５０等を眺めた場合の図であり、同図（Ｂ）は、同図（Ａ）のＸＩＶＢ−ＸＩＶＢ線における断面図であり、同図（Ｃ）は、同図（Ａ）のＸＩＶＣ−ＸＩＶＣ線における断面図である。
【０１０７】
図１４に示す実施形態では、ビード加工（曲げ加工）を行うことで、溝５８０を形成している。付言すると、本実施形態では、タブ５００の一部を、タブ５００の表面５００Ａ側に突出させることで、溝５８０を形成している。
【０１０８】
ここで、図１５を参照し、操作者によりタブ５００が操作された際の動きを説明する。
同図（Ａ）は、タブ５００が操作者により操作される前の状態を示している。
また、同図（Ｂ）は、パネル４００とタブ５００との間に、操作者の指が入れられたときの状態を示している。パネル４００とタブ５００との間に操作者の指が入れられると、同図（Ｂ）に示すように、上側に向かって凸となるように、タブ５００が屈曲する。このとき、溝側面５８０Ｌと、溝側面５８０Ｒとは未だ接触していないため、タブ５００は曲がりやすい。
【０１０９】
同図（Ｃ）は、パネル４００とタブ５００との間に操作者の指が入れられた後、タブ５００の引き起こしが更に行われた際の状態を示している。
この状態となると、溝側面５８０Ｌと、溝側面５８０Ｒとが互いに接触し、これにより、タブ舌片部５５０の根元における曲げ剛性が増加する。これにより、上記と同様、パネル舌片部４４０を飲料缶１００の内部に入れ込もうとする力が増加する。
【０１１０】
なお、図１４にて示した構成例では、タブ舌片部５５０の根元部分のうち、タブ舌片部５５０の幅方向における全域に、ビード加工が施されているが、この幅方向における一部の領域に対して、ビード加工を行うようにしてもよい。具体的には、例えば、タブ舌片部５５０の幅方向における中央部を除いた両端に、ビード加工を施すようにしてもよい。また、ビード加工は、直線状に限らず、図１６（タブ舌片部５５０付近の他の構成例を示した図）に示すように、曲線状に形成してもよい。
【０１１１】
（その他）
上記にて説明した実施形態では、スコア線（第１スコア線４３０）に囲まれた領域にリベット９００が設けられた態様を一例に説明したが、スコア線に囲まれた領域の外側にリベット９００が設けられた構成に対しても、上記にて説明した各構成を適用できる。
また、本実施形態では、第２スコア線４５０が設けられている場合を一例に説明したが、上記にて説明した各構成は、第２スコア線４５０が設けられていない缶蓋３００にも適用できる。
【符号の説明】
【０１１２】
２Ｆ…接続部分、１００…飲料缶、２００…容器本体（缶胴）、３００…缶蓋、４００…パネル、４３０…第１スコア線、４５０…第２スコア線、４９０…凹部、５００…タブ、５５１…第１接触部、５５２…第２接触部、５８０…溝、５８６…突出部、９００…リベット
【図１】
0006466794.tif 000002
【図２】
0006466794.tif 000003
【図３】
0006466794.tif 000004
【図４】
0006466794.tif 000005
【図５】
0006466794.tif 000006
【図６】
0006466794.tif 000007
【図７】
0006466794.tif 000008
【図８】
0006466794.tif 000009
【図９】
0006466794.tif 000010
【図１０】
0006466794.tif 000011
【図１１】
0006466794.tif 000012
【図１２】
0006466794.tif 000013
【図１３】
0006466794.tif 000014
【図１４】
0006466794.tif 000015
【図１５】
0006466794.tif 000016
【図１６】
0006466794.tif 000017
【図１７】
0006466794.tif 000018
【図１８】
0006466794.tif 000019
【図１９】
0006466794.tif 000020
【図２０】
0006466794.tif 000021
【図２１】
0006466794.tif 000022
【図２２】
0006466794.tif 000023
【図２３】
0006466794.tif 000024
【図２４】
0006466794.tif 000025